(57)【要約】【課題】嵌合工具と被嵌合工具とにより２段式環状及びギザギザ形状を構成し、嵌合工具と被嵌合工具とを速やかに結合したり容易に外したりすることができる工具の嵌合装置構造を提供する。【解決手段】工具の嵌合装置構造は、嵌合工具の嵌合端３１及び被嵌合工具４０の被嵌合端４２を備える。嵌合端３１は、内側にギザギザエリア３２が設けられているとともに、ギザギザエリア３２の上端に、環状引き込み部３３が形成され、環状引き込み部３３の内周には、環溝部３４が形成される。環溝部３４内には、プラスチック環３５が配置される。被嵌合端４２は、被嵌合工具４０の作業部４１の上端に形成され、多角形係合部４３を含むとともに、多角形係合部４３の上端に環状係合部４４が形成される。環状係合部４４には、環状係合溝４５が形成され、環状係合溝４５に識別用の着色リングが配置される。【選択図】図５
0003182948.tif 000002
【実用新案登録請求の範囲】
【請求項１】
嵌合工具の嵌合端及び被嵌合工具の被嵌合端を備えた工具の嵌合装置構造であって、
前記嵌合端は、内側にギザギザエリアが設けられているとともに、前記ギザギザエリアの上端に、環状引き込み部が形成され、前記環状引き込み部の内周には、環溝部が形成され、前記環溝部内には、プラスチック環が配置され、
前記被嵌合端は、前記被嵌合工具の作業部の上端に形成され、多角形係合部を含むとともに、前記多角形係合部の上端に環状係合部が形成され、前記環状係合部には、環状係合溝が形成され、前記環状係合溝に識別用の着色リングが配置され、
前記嵌合工具の前記嵌合端と前記被嵌合工具の前記被嵌合端とが連結されると、前記被嵌合端の前記多角形係合部が前記嵌合端の前記ギザギザエリアに係合され、前記被嵌合端の前記環状係合部が前記嵌合端の前記環状引き込み部に挿入され、
前記嵌合工具は、前記環溝部内の前記プラスチック環が前記被嵌合工具の前記環状係合部の前記環状係合溝に当接されて固定されることを特徴とする工具の嵌合装置構造。
【考案の詳細な説明】
【技術分野】
【０００１】
本考案は、工具の嵌合装置構造に関するものであり、さらに詳しくは、嵌合工具と被嵌合工具とにより２段式環状及びギザギザ形状を構成し、嵌合工具と被嵌合工具とを速やかに結合したり容易に外したりすることができる工具の嵌合装置構造に関するものである。
【背景技術】
【０００２】
従来のラチェットは、被嵌合工具と嵌合工具との結合位置を固定するために、図１、図２及び図３に示すように、嵌合工具１０の前端に嵌合端１１が形成されている。嵌合端１１の内周には、ギザギザエリア１２が周設されている。ギザギザエリア１２上には、Ｃ字状リング１４が内設された環溝１３が形成されている。上述の嵌合工具１０に対応した被嵌合工具２０は、ラチェットレンチであり、被嵌合工具２０の作業部２１上には、被嵌合端２２が設けられている。被嵌合端２２は、多角形係合部２３と、各縁部に同じ水平高さで設けられた切欠部２４と、を含む。嵌合工具１０と被嵌合工具２０とを結合させるとき、被嵌合端２２の多角形係合部２３を嵌合端１１のギザギザエリア１２内に挿入すると、ギザギザエリア１２の環溝１３中のＣ字状リング１４が被嵌合端２２の切欠部２４中に係合されて堅固に結合された状態となる。
【０００３】
しかし上述の構造は、両者を堅固に係合させることができるが、実際に使用する際、Ｃ字状リング１４が一般に金属材料からなるため、被嵌合工具２０から嵌合工具１０を外す場合、操作者は大きめの引き抜き力を加えてＣ字状リング１４を切欠部２４から外す必要があった。上述したように従来技術は使用上問題があり、作業をスムーズに行うことができ、Ｃ字状リング１４と嵌合端１１との組み立てが困難となるため改善が求められていた。
【０００４】
ラチェットレンチについては、従来から多数の提案があり、例えば、特開２０１２−５１１０５号公報（特許文献１）及び実用新案登録第３１１４１０９号公報（特許文献２）には、本体と、駆動体と、ラチェット装置と、方向切換スイッチとを備えたラチェットレンチ、ラチェットレンチのレンチ本体内に溝孔とスプリングが嵌め込まれた構造が記載されている。しかし、特許文献１及び２には、嵌合工具と被嵌合工具とにより２段式環状及びギザギザ形状を構成するような構造について開示されていない。
【先行技術文献】
【特許文献】
【０００５】
【特許文献１】特開２０１２−５１１０５号公報
【特許文献２】実用新案登録第３１１４１０９号公報
【考案の概要】
【考案が解決しようとする課題】
【０００６】
本考案の課題は、嵌合工具と被嵌合工具とにより２段式環状及びギザギザ形状を構成し、嵌合工具と被嵌合工具とを速やかに結合したり容易に外したりすることができる上、被嵌合工具に設けられた環状係合溝に、嵌合工具のプラスチック環を係合させることができる上、ユーザが容易に識別可能なように、環状係合溝に着色リングが配置された工具の嵌合装置構造を提供することにある。
【課題を解決するための手段】
【０００７】
上記課題を解決するために、本考案によれば、嵌合工具の嵌合端及び被嵌合工具の被嵌合端を備えた工具の嵌合装置構造であって、
前記嵌合端は、内側にギザギザエリアが設けられているとともに、前記ギザギザエリアの上端に、環状引き込み部が形成され、
前記環状引き込み部の内周には、環溝部が形成され、前記環溝部内には、プラスチック環が配置され、前記被嵌合端は、前記被嵌合工具の作業部の上端に形成され、多角形係合部を含むとともに、前記多角形係合部の上端に環状係合部が形成され、前記環状係合部には、環状係合溝が形成され、前記環状係合溝に識別用の着色リングが配置され、
前記嵌合工具の前記嵌合端と前記被嵌合工具の前記被嵌合端とが連結されると、前記被嵌合端の前記多角形係合部が前記嵌合端の前記ギザギザエリアに係合され、前記被嵌合端の前記環状係合部が前記嵌合端の前記環状引き込み部に挿入され、
前記嵌合工具は、前記環溝部内の前記プラスチック環が前記被嵌合工具の前記環状係合部の前記環状係合溝に当接されて固定されることを特徴とする工具の嵌合装置構造が提供される。尚、「ギザギザエリア」は、図４等において、３２で示す断面が多角形孔の鋸歯状壁面部である。
【考案の効果】
【０００８】
本考案は、前記の通りの構成からなり、嵌合工具と被嵌合工具とを迅速かつ容易に結合及び取り外すことができ、実用上顕著な効果を奏するものである。
【図面の簡単な説明】
【０００９】
【図１】図１は、従来の工具の嵌合構造を示す斜視図である。
【図２】図２は、従来の工具の嵌合構造を示す斜視図である。
【図３】図３は、従来の工具の嵌合構造を示す断面図である。
【図４】図４は、本考案の一実施形態に係る工具の嵌合装置構造を示す斜視図である。
【図５】図５は、本考案の一実施形態に係る工具の嵌合装置構造を示す斜視図である。
【図６】図６は、本考案の一実施形態に係る工具の嵌合装置構造を示す断面図である。
【図７】図７は、本考案の他の実施形態に係る工具の嵌合装置構造を示す斜視図（１）である。
【図８】図８は、本考案の他の実施形態に係る工具の嵌合装置構造を示す断面図である。
【図９】図９は、本考案の他の実施形態に係る工具の嵌合装置構造を示す斜視図（２）である。
【考案を実施するための形態】
【００１０】
以下、本考案の実施形態について図面に基づいて説明する。なお、これによって本考案が限定されるものではない。
【００１１】
まず、図４及び図５を参照する。図４及び図５に示すように、本考案の一実施形態に係る工具の嵌合装置構造は、嵌合工具３０の嵌合端３１と、被嵌合工具４０の被嵌合端４２とが組み合わされて構成される。ここで嵌合端３１は、ラチェットレンチに取り付けたジョイントを例に説明されている。この構造は、主に嵌合端３１の内部にギザギザエリア３２が形成されるとともに、ギザギザエリア３２の上端に、環状引き込み部３３が形成されている。環状引き込み部３３の内周には、環溝部３４が形成されている。環溝部３４内には、プラスチック環３５が配置される。ここで被嵌合端４２は、ラチェットレンチのスリーブ構造を例に説明する。この構造は、主に被嵌合工具４０の作業部４１の上端に多角形係合部４３が形成され、多角形係合部４３の上端に環状係合部４４が形成される。被嵌合端４２は、多角形係合部４３と環状係合部４４との組み合わせにより構成され、環状係合部４４上には、環状係合溝４５が形成されている。環状係合溝４５内には、識別が容易なように着色リングが配置されている。
【００１２】
図６を参照する。図６に示すように、嵌合工具３０の嵌合端３１と被嵌合工具４０の被嵌合端４２とを連結させると、被嵌合端４２の多角形係合部４３が嵌合端３１のギザギザエリア３２に係合され、被嵌合端４２の環状係合部４４が嵌合端３１の環状引き込み部３３中に挿入される。嵌合工具３０は、環溝部３４中のプラスチック環３５が被嵌合工具４０の環状係合部４４の環状係合溝４５に当接されて位置決めされているため、プラスチック環３５により両者を容易に外すことができる。
【００１３】
また、図７及び図８を参照する。図７及び図８に示すように、本考案の他の実施形態において、本体はスリーブ当接桿５０であり、上端に被嵌合端４２が配置され、下端に嵌合端３１が配置される。この構造により、スリーブ当接桿５０は、嵌合工具３０が上端に接続され、被嵌合工具４０を下端に取り付けることにより構造を延ばすことができる。
【００１４】
図９を参照する。図９に示すように、本体はスリーブジョイント６０である。スリーブジョイント６０は、上端に被嵌合端４２が配置されているため、嵌合端３１を有するレンチを接続することにより工具の機能を変えることができる。
【００１５】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
１０  嵌合工具
１１  嵌合端
１２  ギザギザエリア
１３  環溝
１４  Ｃ字状リング
２０  被嵌合工具
２１  作業部
２２  被嵌合端
２３  多角形係合部
２４  切欠部
３０  嵌合工具
３１  嵌合端
３２  ギザギザエリア
３３  環状引き込み部
３４  環溝部
３５  プラスチック環
４０  被嵌合工具
４１  作業部
４２  被嵌合端
４３  多角形係合部
４４  環状係合部
４５  環状係合溝
５０  スリーブ当接桿
６０  スリーブジョイント
【図１】
0003182948.tif 000003
【図２】
0003182948.tif 000004
【図３】
0003182948.tif 000005
【図４】
0003182948.tif 000006
【図５】
0003182948.tif 000007
【図６】
0003182948.tif 000008
【図７】
0003182948.tif 000009
【図８】
0003182948.tif 000010
【図９】
0003182948.tif 000011